(57)【特許請求の範囲】
【請求項１】
水路中に介在され且つ上下動し得る可動堰の下流側の面部に取水器を一体に設け、該取水器が前記可動堰と一体となって上下動可能となされており、又前記取水器は、前記可動堰の上端を越流した水路水を流下させ且つ流下水の一部を濾過して下面側で取水可能とする取水スクリーンが、水路下流に向け下方に傾斜する状態で設けられ、前記取水スクリーンの上端縁には、前記可動堰の上の端面を覆う如く、上に凸の円弧状をなす流水案内板が連設されており、該流水案内板の上端側が前記可動堰の上端を構成しており、該流水案内板の上端側のスリットを下方向に通過した水を前記可動堰の上面に設けた開口を通して落下させて前記取水器に取り込むように構成したことを特徴とする可動堰一体型取水装置。
【請求項２】
水路中に介在され且つ上下動し得る可動堰の下流側の面部に取水器を一体に設け、該取水器が前記可動堰と一体なって上下動可能となされ、前記可動堰の上端が、５〜２０ｃｍ程度の段差で階段状に形成されており、又前記取水器は、前記可動堰の上端を越流した水路水を流下させ且つ流下水の一部を濾過して下面側で取水可能とする取水スクリーンが、水路下流に向け下方に傾斜する状態で設けられており、所要の段を越流した水路水が該段に連なる前記取水スクリーンの上面を流下するように構成したことを特徴とする可動堰一体型取水装置。
【請求項３】
水路中に介在され且つ上下動し得る可動堰の下流側の面部に取水器を一体に設け、該取水器が前記可動堰と一体なって上下動可能となされ、前記可動堰の上端の所要部位が、左右方向の一端部から他端部に向けて下方に傾斜されており、又前記取水器は、前記可動堰の上端を越流した水路水を流下させ且つ流下水の一部を濾過して下面側で取水可能とする取水スクリーンが、水路下流に向け下方に傾斜する状態で設けられており、該傾斜した上端の所要部分を越流した水路水が該上端に連なる前記取水スクリーンの上面を流下するように構成したことを特徴とする可動堰一体型取水装置。
【請求項４】
前記取水器を、前記水路から外れるように上昇可能としたことを特徴とする請求項１、２又は３記載の可動堰一体型取水装置。
【請求項５】
請求項１、２又は３記載の可動堰一体型取水装置を用いる取水方法であって、前記可動堰を所要に上下動させて該可動堰の上端における越流水深を所要に設定することを特徴とする取水方法。
【発明の詳細な説明】
【０００１】
【発明の属する技術分野】
本発明は、河川等の水路において流水を取水するために、可動堰の下流側に取水器を一体に設け、該取水器を前記可動堰と一体となって上下動可能とした可動堰一体型取水装置に関するものである。
【０００２】
【従来の技術】
従来における河川水の取水装置の一般的なものは、図２０に示すように、河川水中において、堰ａの上流側の堤ｂに、水流と平行に取水口ｃを設け、該取水口ｃをスクリーンｄで覆い、落ち葉等の異物を該スクリーンｄで遮断して取水する構成のものであった。
【０００３】
又固定堰利用の取水装置として、例えば特開平８−７４２３２号が開示するものが提案されていた。該取水装置は図２１に示すように、河川に設けた固定堰ｅの上部の所要部位を欠切して上端開放の開放部ｆを形成し、該開放部ｆに、下流に向け下方に傾斜する取水スクリーンｇが設けられた取水器ｈを固定してなるものであり、該取水スクリーンｇの上方部をカバーするように、取水スクリーンｇの上部分に被り且つ上流に向け斜め上方に延長するへの字状の流入受け板ｊを配設すると共に、該流入受け板ｊの左右両側に、取水スクリーンｇの上部と流入受け板ｊの上部に被る跳水防止ガイドｋ，ｋを配設した構成を有していた。そして、該流入受け板ｊから流入する表流水の跳水を該跳水防止ガイドｋ，ｋで防止しつつ、前記取水スクリーンｇを流下する水の一部を濾化して、取水スクリーンｇの下面側で取水可能に構成されていた。
【０００４】
【発明が解決しようとする課題】
しかしながら、前記従来の取水装置によるときは以下の如き問題点があった。即ち、
(1) 前者の取水装置によるときは、取水口ｃが、堰ａの上流側の河川水中に設けられていたため、該取水口ｃに働く吸引作用によって、流水に混入されている落ち葉等の異物がスクリーンｄに付着しやすく、一旦付着した落ち葉等は、前記吸引作用を受けて剥離しにくく、そのうちに、スクリーンが全面的に閉塞されてしまう事態を生じさせた。加えて、堰の上流側で沈澱した土砂等が堆積して取水口ｃを塞ぐ事態も生じ、このようなことから、取水効率が著しく低下する問題があった。
そこで取水時には、前記付着落ち葉や土砂等の異物を定期的に除去しなければならず、しかも、かかる除去作業を水中で行わなければならなかったために、取水口の維持管理に多大の手間を要する問題があった。
【０００５】
(2) 又前記後者の取水装置によるときは、堰の上流側に土砂が沈殿して、堰の上部にまで土砂が堆積すると、水深が異常に上昇した場合に、流石等が該堆積部分を登ってスクリーン面上に落ち、これにより取水スクリーンが、凹んだり穴が明いたりして破損される問題が発生した。
更に、堰の上流側で土砂がそれ程堆積していないとしても、水深が異常に上昇した場合に流木が堰上端を乗り越えてスクリーン面上に流れ、該流木が取水スクリーンを破損させる問題が発生した。
【０００６】
(3) 更に後者の取水装置によるときは、固定堰ｅの上端からの越流水深を調節できなかったために、該水深が大きいと、越流水の流速が上昇して、流水が取水スクリーンｇを飛び越えてしまう跳水現象が発生しやすくなる。そのため前記のように、流入受け板ｊの左右両側に前記跳水防止ガイドｋ，ｋを配設していたのであるが、水深が異常に上昇した場合には、該跳水防止ガイドｋ，ｋが流木等で破損される恐れがあった。
【０００７】
(4) 加えて後者の取水装置によるときは、魚類の遡上を可能とするための魚道を固定堰に特別に設ける必要もあった。
【０００８】
本発明は、かかる従来の取水装置における前記問題点に鑑みて開発されたものであり、可動堰を従来と同様に機能させながら、確実な取水を効率的に達成できると共に、豪雨や雪解け水によって水路の水深が異常に上昇した場合にも取水装置が破損するのを確実に防止できる可動堰一体型取水装置の提供を課題とするものである。
【０００９】
【課題を解決するための手段】
前記課題を解決するため、本発明は以下の如き手段を採用する。
即ち本発明に係る可動堰一体型取水装置は、水路中に介在され且つ上下動し得る可動堰の下流側の面部に取水器を一体に設け、該取水器が前記可動堰と一体となって上下動可能となされており、又前記取水器は、前記可動堰の上端を越流した水路水を流下させ且つ流下水の一部を濾過して下面側で取水可能とする取水スクリーンが、水路下流に向け下方に傾斜する状態で設けられ、前記取水スクリーンの上端縁には、前記可動堰の上の端面を覆う如く、上に凸の円弧状をなす流水案内板が連設されており、該流水案内板の上端側が前記可動堰の上端を構成しており、該流水案内板の上端側のスリットを下方向に通過した水を前記可動堰の上面に設けた開口を通して落下させて前記取水器に取り込むように構成したことを特徴とするものである。
【００１０】
本発明に係る可動堰一体型取水装置の他の態様は、水路中に介在され且つ上下動し得る可動堰の下流側の面部に取水器を一体に設け、該取水器が前記可動堰と一体なって上下動可能となされ、前記可動堰の上端が、５〜２０ｃｍ程度の段差で階段状に形成されており、又前記取水器は、前記可動堰の上端を越流した水路水を流下させ且つ流下水の一部を濾過して下面側で取水可能とする取水スクリーンが、水路下流に向け下方に傾斜する状態で設けられており、所要の段を越流した水路水が該段に連なる前記取水スクリーンの上面を流下するように構成したことを特徴とするものである。
【００１１】
又、本発明に係る可動堰一体型取水装置のその他の態様は、水路中に介在され且つ上下動し得る可動堰の下流側の面部に取水器を一体に設け、該取水器が前記可動堰と一体なって上下動可能となされ、前記可動堰の上端の所要部位が、左右方向の一端部から他端部に向けて下方に傾斜されており、又前記取水器は、前記可動堰の上端を越流した水路水を流下させ且つ流下水の一部を濾過して下面側で取水可能とする取水スクリーンが、水路下流に向け下方に傾斜する状態で設けられており、該傾斜した上端の所要部分を越流した水路水が該上端に連なる前記取水スクリーンの上面を流下するように構成したことを特徴とするものである。
【００１２】
前記各可動堰一体型取水装置において、前記取水器を、前記水路から外れるように上昇可能とするのがよい。
【００１３】
又本発明に係る取水方法は、前記した何れかの可動堰一体型取水装置を用いて行う取水方法であって、前記可動堰を所要に上下動させて該可動堰の上端における越流水深を所要に設定することを特徴とするものである。
【００１４】
【発明の実施の形態】
以下、本発明の実施の形態を図面に基づいて説明する。
図１〜２において本発明に係る可動堰一体型取水装置（以下取水装置という）１は、例えば河川としての水路２中に介在され且つ上下動し得る可動堰３の下流側に、該可動堰３の上端４を越流した水路水の一部を取水する取水器５を一体に設け、該取水器５を、前記可動堰３と一体となって上下動可能としてなるものである。
【００１５】
そして前記水路２の対向する堰堤６，７の内面側には、図１〜３に示すように、上下方向に連続するガイド溝９を設け、該ガイド溝９，９に、前記可動堰３の両端部分１０，１０を嵌め入れ、該可動堰３を該ガイド溝９，９に沿って上下動可能に構成してなる。
【００１６】
前記ガイド溝９は、図４、図６に示すように、所要間隔を隔てて背中合わせ状態に立設された溝形鋼１１，１２相互を平鋼１３で連結してなる上下方向に長い柱状ガイド部材１５を、前記堰堤６，７に設けた凹溝１６の内面側に固設することにより形成されている。そして該左右の柱状ガイド部材１５，１５は、図１〜２に示すように、堰堤６，７の上方に延長されており、その上端相互が横架材１７で連結されている。
【００１７】
又前記可動堰３は、図５に示すように、その下の端面１９が水平に形成された矩形板状を呈して水圧に耐える構造のものであり、例えば４ｍ程度の左右幅を有し、その上流側の面部２１の左右には、図４、図８に示すように、可動堰３とガイド溝９との間の隙間を通して水路水が漏出するのを防止するために、上下に長いヒレ状止水ゴム２２をボルト固定し、該止水ゴムの先端縁２３を、前記堰堤の内側面２４に弾性圧接状態としている。又、可動堰３の下流側の面部２５には、図５〜７に示すように、前記ガイド溝９の上流側の内側面８の上下に突設した楔状の規制突片１８ａと係合し得る楔状の規制突片１８ｂが上下に突設されており、両規制突片１８ａ，１８ｂの係合によって、可動堰３が、図７に示す最下降状態で安定するようになされている。又可動堰３の端面３４には、図４〜５に示すように、可動堰の左右方向の振れ止めを図る振れ止め防止突片３８が突設されている。
【００１８】
又図１、図５、図８に示すように、前記可動堰３の上の端面２０の左右側に位置させて、上方に延長するラック棒２６，２６が立設状態に設けられ、該ラック棒２６には上下方向にラック２７が設けられている。そして該ラック棒２６の下端部２９は、前記上の端面２０の左右端側に設けた支持片３０に、垂直面内で回動可能に軸支されている。又左右のラック棒２６，２６は、前記横架材１７に設けた図示しない上下方向の挿通孔に挿通せしめられ、該横架材１７の上方に突出されると共に該横架材１７の左右端側には、ラック駆動装置３２，３２が設けられている。
【００１９】
前記左右のラック駆動装置３２は、回転連結軸３３で連結されており、一方のラック駆動装置３２ａに設けられたハンドル３５を正逆回転操作することによって、前記回転連結軸３３の両端に設けられた図示しないピニオンが回転せしめられ、これにより左右のラック棒２６，２６が上下動し、これに伴って可動堰３が上下動するように構成されている。図１、図９〜１０は、可動堰３が水路２を完全に閉じたその最下降状態を示すものであり、図２は、可動堰３が水路２から完全に浮き上がったその最上昇状態を示す。又図１１〜１２は、可動堰３が稍上昇した状態を示す。
【００２０】
又前記取水器５は、図３、図５、図９に示すように、前記可動堰３の下流側に、可動堰３の両端側の部分を除いて設けられ、側面視で台形箱状を呈しており、その上面部には、水路下流に向けて下方に直線状に傾斜して流水を案内する取水スクリーン３６が設けられ、該取水スクリーン３６の下側が空洞に形成されている。なお該取水スクリーン３６の傾斜角度は、該取水スクリーンの上面（以下スクリーン面という）３７を流下する水に含まれている落ち葉等の異物が引っ掛かりにくいように、垂直線に対して３０〜３５度に、例えば３０度に設定される。
【００２１】
該取水スクリーン３６は、流水に含まれている落ち葉等の異物を遮断してその下面側での取水を可能とするものであればよい。該取水スクリーン３６は、例えば図１３〜１４に示すように、裏側に向けて細くなる断面Ｖ字状をなし、且つ左右方向に延長するステンレス製のスクリーンバー３９を、左右方向に所要間隔を隔てて傾斜状態に配設された上下方向の支持桟４０上に上下多段に配置し、全体を一体化した簀の子状に構成している。該スクリーンバー３９は、その幅広の外面４１の幅が５ｍｍ程度に設定され、該外面４１を、図１４に示すように、前記３０度の傾斜線に対し若干下向きに下流側に傾斜させて、前記支持桟４０上に、１ｍｍ程度の間隔を置いて多段に配置されることにより、水を流入させるスリット４２を具えた前記取水スクリーン３６を形成するのである。
【００２２】
そして、前記スクリーン面３７を流下する水を、混入している落ち葉や流木片等の異物を遮断して、図１４、図９に矢印で示すように、前記スリット４２を通してスクリーンの下面側で落水させるように構成されている。又前記取水スクリーン３６の上端縁４３には、図９〜１０、図１３に示すように、前記可動堰３の上の端面２０を覆う如く、上に凸の円弧状をなす流水案内板４５が連設されており、本実施の形態においては、該流水案内板４５の上端側４５ａが前記可動堰３の上端４を構成しており、該上端４を越流した水路水を、該流水案内板４５上に流下させ、その後これを前記取水スクリーン３６上に流下させるように構成されている。
【００２３】
前記流水案内板４５は盲の板を以って形成することもできるのであるが、本実施の形態においては図１３、図１５に示すように、該流水案内板４５を前記と同様構成のスクリーンバー３９を用いて構成している。若しも、スクリーンバー３９を横向きにし上下に並設して流水案内板４５を構成したとすると、流水案内板４５が上に凸の円弧状を呈することから、落ち葉等の異物がスクリーンバー間に引っ掛かりやすい。そこで、該スクリーンバー３９を縦方向で湾曲させ、これを左右方向に並設し、異物の引っ掛かりを防止しながら、スクリーンバー間のスリット４７を通した取水も可能にしているのである。
【００２４】
又前記取水器５の底部側は、図２、図５、図９に示すように取水槽４９とされ、該取水槽４９の一方の側面部５０には、上下に稍長い取水口５１が設けられている。そして図３、図１６に示すように、該取水口５１に連通する導水路５２が、前記堰堤７側で埋設状態に設けられている。
【００２５】
図１、図９に示すように可動堰３が水路２を完全に閉じた状態においては、前記取水器５の下面５３が水路底５５に当接状態となり、この状態で、図１０、図１６に示すように、前記取水口５１の上側の部分５６が前記導水路５２の流入口５７に連通する。又可動堰３が図１１〜１２に示すように稍上昇した状態で、前記取水器５の下面５３が水路底５５から浮き上がり、図１２、図１７に示すように、取水口５１の下側の部分５９が前記導水路５２の流入口５７に連通する。
【００２６】
然して、かかる構成の取水装置１を用いて取水を行うには、可動堰３の上端４における越流水深が５〜１０ｃｍ程度となるように該可動堰３を下降状態とする。図９〜１０、図１６においては、可動堰３の下の端面１９が水路底５５に接した最下降状態とし、取水器５の下面５３を該水路底５５に当接状態としている。前記可動堰３の上端４を越流した水路水は、図９に示すように、前記流水案内板４５に案内されて流下した後、図９、図１４に矢印で示すように、前記傾斜したスクリーン面３７を下流側に流れる。該流水案内板４５及びスクリーン面３７を流下する際に、落ち葉等の異物が遮断され、流下水の一部が取水スクリーン３６の前記スリット４２を通してその下面側で落水する。加えて図１５に矢印で示すように、前記流水案内板４５の前記スリット４７を通してその下面側で落水する。なお、該流水案内板４５の上端側４５ａのスリット４７を下方向に通過した水は、図９に矢印で示すように、前記可動堰の上面２０に設けた開口４８を通して落下した後、該開口の下側に配設された傾斜案内面５４に案内されて落水する。そして、スクリーン面３７に落ち葉等が引っ掛かっても、その後、流水の勢いで外れて流し去られる。このように落下した水は前記取水槽４９に収容されて後、図１６に矢印で示すように、該導水路５２を介して図示しないピット内に流入する。その後、図示しない取水管を介して所定場所に運ばれ、融雪や農業用水、工業用水等として利用される。
【００２７】
なお、前記越流水深が大き過ぎる場合は、可動堰３を図１１に示すように稍上昇させ、５〜１０ｃｍ程度の越流水深が得られるようにする。この場合は、水路水の一部が、可動堰３及び箱状の取水器５の下面１９，５３と水路底５５との間に形成された開放部６０を通して流れることになる。
【００２８】
豪雨によって水路の水嵩が異常に上昇する恐れがあるときは、流木等がスクリーン面を流れることによって取水スクリーン３６が破損されるのを防止するために、可動堰３を、図２に示すように最上昇状態とする。これにより取水器５は、水路２から外れた上昇状態となる。又、融雪等を目的として一時期だけ取水する場合は、夏場等取水を要しない時期においては、図２に示すと同様にして可動堰３を上昇状態とする。このように可動堰３を上昇させることにより、魚道を確保できると共に、可動堰の上流側で堆積した土砂を水流で下流側に流すことができる。
【００２９】
図１８は本発明に係る取水装置１の他の態様を示すものであり、可動堰３の上端が階段状に形成されている。各段の左右幅は例えば１ｍ程度に設定され、各段の落差は５〜２０ｃｍ程度に設定される。図１８においては、例えば１０ｃｍ程度に設定されている。このように構成した場合も、前記と同様にして、可動堰の上の端面１９の左右側に位置させて立設されたラック棒２６，２６を介して可動堰３が昇降できるように構成されている。
【００３０】
かかる構成の取水装置１によるときは、可動堰の上流側における水路水の嵩が変動したとき、その変動が一定範囲内であれば、可動堰の昇降動作を行わなわなくても、いずれかの段において必要な越流水深を確保して確実な取水が可能となる利点がある。
【００３１】
水深が例えば同図の実線Ｌ１で示す状態にあるとき、左端の段６１においては、越流水深が大き過ぎて流水の勢いが強く、流水が取水スクリーン３６を飛び越える跳水現象が生じ、必要な取水を確保できない問題が生ずる。又右端の段６２においては、越流水深が小さ過ぎて取水スクリーンで取水できる水量が少ないか、越流水深を全く確保できない問題が生ずる。これに対して中央の段６３においては、５〜１０ｃｍ程度の良好な越流水深を確保できて越流水を取水スクリーン３６上に円滑に流下させ、これにより所望の取水を確保できることになる。
【００３２】
同様の理由によって、可動堰の上流側における水深が同図の一点鎖線Ｌ２で示すようにより大きくなったときは、右端の段６２において良好な越流水深を確保でき、これにより所望の取水を行うことができる。逆に可動堰の上流側における水深が同図に二点鎖線Ｌ３で示す状態に低くなったときは、左端の段６１において良好な越流水深を確保して所望の取水を行うことができる。
【００３３】
図１９は、本発明に係る取水装置１のその他の態様を示すものであり、可動堰３の上端６５の所要部分（図１９においては、可動堰の略全長に亘る部分）を、左右方向の一端６６から他端６７に向けて下方に傾斜させると共に、該可動堰の傾斜した上端６５を越流した水路水が、前記取水スクリーン３６の上面を流下するように構成している。例えば、１〜１０度程度に傾斜させる。このように構成した場合は、可動堰３の上流側における水路水深Ｌ４が変動しても、その変動が一定範囲内であれば、可動堰３の傾斜によって、良好な越流水深が得られる部分（例えば図１９におけるＡの周辺部分）で確実な取水を確保できる。
【００３４】
〔その他の実施の形態〕
本発明は、前記実施の形態で示したものに限定されるものでは決してなく、「特許請求の範囲」の記載内で種々の設計変更が可能であることはいうまでもない。その一例を挙げれば次のようである。
(1) 本発明に係る取水装置は、固定堰の一部分に、例えば固定堰の端の方に寄せて、或いは固定堰の中央部分等の所要部分に設けられることもある。
【００３５】
(2) 取水器で取水された水は、施工現場に応じて各種の方向に導水できる。
【００３６】
(3) 前記可動堰３の昇降動作は、前記ラック棒２６に代えてネジ棒を用い、これにナット部材を組み合わせた昇降装置等、従来の可動堰におけると同様の昇降装置によって行わせることができる。
【００３７】
【発明の効果】
本発明によるときは、可動堰を従来の可動堰と同様に機能させながら、該可動堰の上下動作を越流水深調節のために活用して確実な取水を効率的に達成できると共に、豪雨や雪解け水等によって水路の水深が異常に上昇した場合は、可動堰を上昇状態とすることによって取水器が破損するのを防止できる利点がある。以下、これを具体的に説明する。
(1) 本発明に係る取水装置は、可動堰の下流側の面部に取水器を一体に設けた構成を有するため、該可動堰の上流側における水路の水深に応じて該可動堰を所要に上下動させることにより、可動堰の上端における越流水深を所要に調節して取水効率を向上させ得る。
例えば、可動堰の上流側の水位が異常に上昇して越流水深が大きくなると、越流水が取水スクリーンを下流側に飛び越えて所要の取水を達成できないことになるため、このような場合は、可動堰を上昇させて越流水深を所要に調節できる。これにより、越流水をスクリーン面に確実に流下させて取水できることになる。
【００３８】
(2) 取水器を可動堰の下流側に設けているため、越流した水の流速により、スクリーン面に付着した落ち葉等の異物を下流側に流し落とすことが可能である。従って、堰の上流側に取水口を設ける前記従来の取水装置におけるような、スクリーン面に付着した落ち葉等を頻繁に除去しなければならないといった取水維持管理上の煩わしさを解消できる。又、取水器を可動堰の下流側に設けているため、可動堰の上流側における堆積物の影響を受けないで取水を確実に行うことができる。
【００３９】
(3) 従来の固定堰利用の取水装置にあっては、越流水深が大きくなったときにも所要の取水を確保できるように、取水スクリーンの両側に跳水防止ガイドを設けていたが、越流水深が異常に大きくなった場合は、該跳水防止ガイドが流石や流木によって破損される問題があった。これに対して本発明によるときは、可動堰の上下動によって越流水深を所要に設定できるため、かかる跳水防止ガイドを必要とせず、従って取水装置の破損を免れ得る。
【００４０】
(4) 取水された水を融雪に利用する場合は、取水不要時期においては可動堰を上昇状態となし得、これにより魚道を形成できることになる。又堰の上流側で堆積した土砂を、可動堰を上昇させるだけで、手間を要さずして水流で下流側に流すことができる。
【００４１】
(5) 前記取水器を前記水路から外れるように上昇可能とする場合は、豪雨等によって水路の水深が異常に上昇するとき、可動堰を水路から浮き上げることにより、該可動堰と一体に設けられた取水器を水路から外れた上昇状態となし得る。
これによって、従来の固定堰に設けた取水装置におけるように、石や流木等がスクリーン面上を流れることによって高価な取水スクリーンを破損する恐れを防止できる。
【００４２】
(6) 前記可動堰の上端を、５〜２０ｃｍ程度、好ましくは５〜１０ｃｍ程度の段差で階段状に形成したときは、可動堰の上流側における水路水の嵩の変動によって可動堰の上端における越流水深が変動したときも、その変動が一定範囲内であれば、可動堰の昇降動作を行わなくても、いずれかの段において必要な越流水深を確保して確実な取水が可能となる利点がある。
又、前記可動堰の上端の所要部位を、左右方向の一端部から他端部に向けて下方に傾斜させる構成を採用したときも、越流水深の変動が一定範囲内であれば、可動堰の昇降動作を行わなくても、可動堰上端の前記傾斜によって、良好な越流水深が得られる部分で確実な取水を確保できる利点がある。
【００４３】
(7) 本発明に係る取水方法によるときは、可動堰の上端における越流水深の設定を、該可動堰を上下動させることによって容易に行うことができる。
【図面の簡単な説明】
【図１】  本発明に係る取水装置を、可動堰が最下降状態で示す斜視図である。
【図２】  本発明に係る取水装置を、可動堰が最上昇状態で示す斜視図である。
【図３】  取水装置の平面図である。
【図４】  堰堤に設けたガイド溝に対する可動堰の端部分の嵌入状態を示す平面図である。
【図５】  一体化した可動堰と取水器を示す斜視図である。
【図６】  ガイド溝の構成を示す斜視図である。
【図７】  可動堰の最下降状態を示す断面図である。
【図８】  ガイド溝に対する可動堰の端部分の嵌入状態を示す斜視図である。
【図９】  可動堰が最下降状態における取水器の取水作用を説明する断面図である。
【図１０】  最下降状態にある取水器の取水口に導水路が連通した状態を示す斜視図である。
【図１１】  可動堰を稍浮き上げた状態における取水器の取水作用を説明する断面図である。
【図１２】  稍浮き上がった状態にある取水器の取水口が導水路に連通した状態を示す斜視図である。
【図１３】  取水スクリーンの構成を示す部分斜視図である。
【図１４】  取水スクリーンによる取水作用を説明する断面図である。
【図１５】  流水案内板４５における取水作用を説明する断面図である。
【図１６】  取水器が最下降状態における取水口と導水路の連通状態を示す断面図である。
【図１７】  取水器が稍浮き上がった状態における取水口と導水路の連通状態を示す断面図である。
【図１８】  可動堰の上端を階段状に形成した取水装置を説明する正面図である。
【図１９】  可動堰の上端を傾斜状態に形成した取水装置を説明する正面図である。
【図２０】  従来の取水装置の一例を示す斜視図である。
【図２１】  従来の取水装置の他の例を示す斜視図である。
【符号の説明】
１  取水装置
２  水路
３  可動堰
４  可動堰の上端
５  取水器
６  堰堤
７  堰堤
９  ガイド溝
３６  取水スクリーン
３７  スクリーン面
４５  流水案内板
４７  スリット
４９  取水槽
５１  取水口
５２  導水路
【図１】
0003691807.tif 000002
【図２】
0003691807.tif 000003
【図３】
0003691807.tif 000004
【図４】
0003691807.tif 000005
【図５】
0003691807.tif 000006
【図６】
0003691807.tif 000007
【図７】
0003691807.tif 000008
【図８】
0003691807.tif 000009
【図９】
0003691807.tif 000010
【図１０】
0003691807.tif 000011
【図１１】
0003691807.tif 000012
【図１２】
0003691807.tif 000013
【図１３】
0003691807.tif 000014
【図１４】
0003691807.tif 000015
【図１５】
0003691807.tif 000016
【図１６】
0003691807.tif 000017
【図１７】
0003691807.tif 000018
【図１８】
0003691807.tif 000019
【図１９】
0003691807.tif 000020
【図２０】
0003691807.tif 000021
【図２１】
0003691807.tif 000022